(57)【要約】【課題】冷蔵庫上に設置し、食品の有効期限を逆算設定し、有効期限が切れる前にユーザに知らせる機能を有する冷蔵庫の有効期限報知装置を提供する。【解決手段】冷蔵庫の有効期限報知装置は、処理ユニットと、処理ユニットと電気的に接続された電源ユニットと、処理ユニットと電気的に接続され、所望の逆算日数を設定するために用いる操作ユニット４と、処理ユニットと電気的に接続され、逆算日数を表示するために用いる少なくとも１つの表示ユニット５と、処理ユニットと電気的に接続され、電源ユニットおよび表示ユニット５を制御するために用いる少なくとも１つのスイッチユニット６と、処理ユニットと電気的に接続され、表示ユニット５に対応し、逆算日数を基に報知を行う少なくとも１つの報知ユニット７と、を備える。【選択図】図１
0003148339.tif 000002
【実用新案登録請求の範囲】
【請求項１】
処理ユニットと、
前記処理ユニットと電気的に接続された電源ユニットと、
前記処理ユニットと電気的に接続され、所望の逆算日数を設定するために用いる操作ユニットと、
前記処理ユニットと電気的に接続され、逆算日数を表示するために用いる少なくとも１つの表示ユニットと、
前記処理ユニットと電気的に接続され、前記電源ユニットおよび前記表示ユニットを制御するために用いる少なくとも１つのスイッチユニットと、
前記処理ユニットと電気的に接続され、前記表示ユニットに対応し、逆算日数を基に報知を行う少なくとも１つの報知ユニットと、を備えることを特徴とする冷蔵庫の有効期限報知装置。
【請求項２】
前記処理ユニット、前記電源ユニット、前記操作ユニット、前記表示ユニット、前記スイッチユニットおよび前記報知ユニットは、筐体と結合され、
前記操作ユニット、前記表示ユニット、前記スイッチユニットおよび前記報知ユニットは、前記筐体の外表面から露出されていることを特徴とする請求項１に記載の冷蔵庫の有効期限報知装置。
【請求項３】
前記操作ユニットはダイヤルであることを特徴とする請求項１に記載の冷蔵庫の有効期限報知装置。
【請求項４】
前記表示ユニットは表示スクリーンであることを特徴とする請求項１に記載の冷蔵庫の有効期限報知装置。
【請求項５】
前記報知ユニットは発光ダイオードであることを特徴とする請求項１に記載の冷蔵庫の有効期限報知装置。
【請求項６】
前記報知ユニットは少なくとも３つの発光ダイオードを含むことを特徴とする請求項１に記載の冷蔵庫の有効期限報知装置。
【請求項７】
前記報知ユニットはスピーカーであることを特徴とする請求項１に記載の冷蔵庫の有効期限報知装置。
【考案の詳細な説明】
【技術分野】
【０００１】
本考案は、冷蔵庫の有効期限報知装置に関し、特に、冷蔵庫上に設置し、食品の有効期限を逆算設定し、有効期限が切れる前にユーザに知らせる機能を有する冷蔵庫の有効期限報知装置に関する。
【背景技術】
【０００２】
一般に生鮮食品、調理済み食品、乳卵製品、缶詰、果物、お菓子などの食品、医薬品、化粧品などは、鮮度を保つために通常冷蔵庫で冷凍または冷蔵して保存されていた。
【０００３】
食品や医薬品を冷蔵庫に保存した場合、長期間鮮度を保つことができるが、それぞれの食品や医薬品には保存期限または使用期限があった。そして、この保存期限または使用期限が切れたものを食用したり使用したりすると、人体に悪影響を与えることがあった。しかし、従来の冷蔵庫は、食品や医薬品を冷蔵保存することができるだけであり、食品または医薬品のそれぞれの保存期限または使用期限をユーザに知らせることができない上、ユーザは各食品または医薬品の保存期限または使用期限を一つ々々記憶することもできなかった。そのため、冷蔵庫の中に保存した食品または医薬品の保存期限が切れてしまうことがよくあったが、これは電気エネルギの浪費と金銭的な損失を発生させる以外に、保存期限または使用期限が切れた食品または医薬品を冷蔵庫から不用意に取り出し、食用または使用してしまった場合、身体の健康に害を与えてしまう虞もあった。
【考案の開示】
【考案が解決しようとする課題】
【０００４】
本考案が解決しようとする課題は、冷蔵庫上に設置し、食品の有効期限を逆算設定し、有効期限が切れる前にユーザに知らせる機能を有する冷蔵庫の有効期限報知装置を提供することである。
【課題を解決するための手段】
【０００５】
上記課題を解決するために、本考案に係る冷蔵庫の有効期限報知装置は、処理ユニットと、前記処理ユニットと電気的に接続された電源ユニットと、前記処理ユニットと電気的に接続され、所望の逆算日数を設定するために用いる操作ユニットと、前記処理ユニットと電気的に接続され、逆算日数を表示するために用いる少なくとも１つの表示ユニットと、前記処理ユニットと電気的に接続され、前記電源ユニットおよび前記表示ユニットを制御するために用いる少なくとも１つのスイッチユニットと、前記処理ユニットと電気的に接続され、前記表示ユニットに対応し、逆算日数を基に報知を行う少なくとも１つの報知ユニットと、を備えることを特徴とする。
【０００６】
さらに、本考案に係る冷蔵庫の有効期限報知装置は、前記処理ユニット、前記電源ユニット、前記操作ユニット、前記表示ユニット、前記スイッチユニットおよび前記報知ユニットは、筐体と結合され、前記操作ユニット、前記表示ユニット、前記スイッチユニットおよび前記報知ユニットは、前記筐体の外表面から露出されていることを特徴とする。
【０００７】
さらに、本考案に係る冷蔵庫の有効期限報知装置は、前記操作ユニットはダイヤルであることを特徴とする。
【０００８】
さらに、本考案に係る冷蔵庫の有効期限報知装置は、前記表示ユニットは表示スクリーンであることを特徴とする。
【０００９】
さらに、本考案に係る冷蔵庫の有効期限報知装置は、前記報知ユニットは発光ダイオードであることを特徴とする。
【００１０】
さらに、本考案に係る冷蔵庫の有効期限報知装置は、前記報知ユニットは少なくとも３つの発光ダイオードを含むことを特徴とする。
【００１１】
さらに、本考案に係る冷蔵庫の有効期限報知装置は、前記報知ユニットはスピーカーであることを特徴とする。
【考案の効果】
【００１２】
上記のように、本考案の冷蔵庫の有効期限報知装置は、冷蔵庫上に設置し、食品の有効期限を逆算設定し、有効期限が切れる前にユーザに知らせることができる。
【考案を実施するための最良の形態】
【００１３】
図１〜図４を参照する。図１〜図４に示すように、本考案の一本実施形態による冷蔵庫の有効期限報知装置は、冷蔵庫に設置することが可能な少なくとも１つの筐体１と、筐体１と結合された処理ユニット２と、電源ユニット３と、操作ユニット４と、少なくとも１つの表示ユニット５と、少なくとも１つのスイッチユニット６と、少なくとも１つの報知ユニット７と、を含む。操作ユニット４、表示ユニット５、スイッチユニット６および報知ユニット７は、筐体１の外表面に露出されている。表示ユニット５、スイッチユニット６および報知ユニット７は、図１に示すように筐体１の外側に複数配置したり、図４に示すように、筐体１ａ上に表示ユニット５、スイッチユニット６および報知ユニット７を１つずつ配置したりしてもよい。以下では図１〜図３Ｂを基に説明する。
【００１４】
上述の処理ユニット２は、各ユニットを動作させるときの制御中枢として用い、１つのチップまたは集積回路からなってもよい。
【００１５】
電源ユニット３は、処理ユニット２と電気的に接続されている。さらに、電源ユニット３は、一般の電池もしくは内蔵された充電池でもよいし、または冷蔵庫の電源と電気的に接続されてもよい。
【００１６】
操作ユニット４は、処理ユニット２と電気的に接続され、所望の日数逆算を設定するために用いるダイヤル、押しボタン式スイッチまたはその他の種類のスイッチでもよい。
【００１７】
各表示ユニット５は、処理ユニットと電気的に接続され、逆算日数を表示することが可能な表示スクリーンでもよい。
【００１８】
各スイッチユニット６は、処理ユニット２と電気的に接続され、電源ユニット３および表示ユニット５を制御することが可能である。各スイッチユニット６は、ディップ式スイッチ、押しボタン式スイッチまたはその他のタイプのスイッチでもよい。
【００１９】
各報知ユニット７は、処理ユニット２と電気的に接続され、各表示ユニット５に対応して逆算日数を基に報知を行う。本実施形態では、各報知ユニット７は３つの発光ダイオード７１，７２，７３であるが、他の実施形態では必要に応じて発光ダイオードおよび／またはスピーカでもよい。このように、本考案は、上述の構造を冷蔵庫と一体成形することにより全く新しい冷蔵庫の有効期限報知装置を提供することができる。
【００２０】
図５および図６を参照する。図５および図６に示すように、本考案の一実施形態による有効期限報知装置は、冷蔵庫８（例えば、この冷蔵庫は、収納キャビネット、食品保管箱またはその他の物品を収納することが可能な容器で代替してもよいが、本実施形態では冷蔵庫を例に説明する。）に設置し（図２を同時に参照する）、操作ユニット４、表示ユニット５、スイッチユニット６および報知ユニット７を利用して多種類の食品の有効期限の日数を逆算し、有効期限を管理することができる。
【００２１】
有効期限報知装置を設定するときは、まず、スイッチユニット６をオンし、電源ユニット３により電源供給を行ってから、操作ユニット４、表示ユニット５および処理ユニット２を利用して食品の残りの有効日数を設定してから、筐体１を冷蔵庫８の外部に設置するか単体タイプの筐体１ａを冷蔵庫８内部に設置し、管理したい食品の包装上の表記に対応した表示ユニット５が有効期限の逆算を開始する。そして、表示ユニット５により残りの日数を表示し、表示ユニット５が表示する日数を基に、報知ユニット７がランプ、音声または文字によりユーザへの報知を行う。本実施形態では、各報知ユニット７の３つの発光ダイオード７１，７２，７３を利用してユーザへの報知を行う。例えば、ユーザに有効期限または使用期限がまだ切れていないことを知らせる場合、緑色の発光ダイオード７１を発光し続けて知らせる。また、ユーザにもう少しで有効期限が切れることを知らせる場合、黄色の発光ダイオード７２を発光し続けるか点滅させて知らせ、早急に食用または使用することをユーザに促す。また、ユーザに食品の有効期限がすでに切れて食用することができないことを知らせる場合、赤色の発光ダイオード７３が発光し続けて知らせる。このように、本考案は、食品の有効期限を逆算設定し、有効期限が切れる前にユーザに知らせる効果を有する。
【００２２】
上述の実施形態から分かるように、本考案の冷蔵庫の有効期限報知装置は、従来技術の種々の欠点を有効に改善し、処理ユニット、電源ユニット、操作ユニット、表示ユニット、スイッチユニットおよび報知ユニットを筐体に結合させて冷蔵庫上に設置することができる以外に、処理ユニット、電源ユニット、操作ユニット、表示ユニット、スイッチユニットおよび報知ユニットをモジュール化し、冷蔵庫上に直接設置して冷蔵庫と一体成形させることもできる。また、食品の有効期限を逆算設定し、有効期限が切れる前にユーザに知らせる機能を有するため、電気エネルギの浪費や金銭的な損失が発生することを防ぐことができる上、使用者ニーズにより合致している。
【００２３】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【００２４】
【図１】本考案の一実施形態による有効期限報知装置を示す斜視図である。
【図２】本考案の一実施形態による有効期限報知装置を示すブロック図である。
【図３Ａ】本考案の一実施形態による有効期限報知装置を示す回路図である。
【図３Ｂ】本考案の一実施形態による有効期限報知装置を示す回路図である。
【図４】本考案の他の実施形態による有効期限報知装置を示す斜視図である。
【図５】本考案の一実施形態による有効期限報知装置を使用するときの状態を示す斜視図である。
【図６】本考案の他の実施形態による有効期限報知装置を使用するときの状態を示す斜視図である。
【符号の説明】
【００２５】
１    筐体
１ａ  筐体
２    処理ユニット
３    電源ユニット
４    操作ユニット
５    表示ユニット
６    スイッチユニット
７    報知ユニット
７１  発光ダイオード
７２  発光ダイオード
７３  発光ダイオード
８    冷蔵庫
【図１】
0003148339.tif 000003
【図２】
0003148339.tif 000004
【図３Ａ】
0003148339.tif 000005
【図３Ｂ】
0003148339.tif 000006
【図４】
0003148339.tif 000007
【図５】
0003148339.tif 000008
【図６】
0003148339.tif 000009